(57)【要約】【課題】フレームのＯＨ部の領域が少ない場合でも主信号の帯域を圧迫することなく装置保守データを効率良く送達させること。【解決手段】波長多重送信装置９７で、クライアントからクライアントＩＦ８６〜８８への信号が一定時間ない、またはクライアントが接続されておらずクライアントＩＦ８６〜８８が使用されていない場合等、クライアントＩＦ８６〜８８において、クライアントデータを格納するペイロード部に装置保守データを分割して格納する。その他の場合、複数のフレームのＯＨ部に装置保守データを分割して格納する。送信装置９７は、対向の受信装置９３へと分割格納された装置保守データを送信する。【選択図】  図１
2014057280.tif 000002
【特許請求の範囲】
【請求項１】
クライアントからの信号を送信フレームに変換する複数の送信側クライアント（インタフェース）ＩＦと、
複数の前記送信側クライアントＩＦからの送信フレームを多重して多重信号を送信する多重部と、
を備え、
前記送信側クライアントＩＦは、クライアントデータの状態が予め定められた時間以上断状態である場合又は前記送信側クライアントＩＦがクライアントデータを受信していない若しくは接続されていない場合、格納方式決定情報をペイロード格納方式と決定し、その他の場合格、納方式決定情報を（オーバヘッド）ＯＨ格納方式と決定し、
前記送信側クライアントＩＦは、
格納方式決定情報がＯＨ格納方式ならば、複数の前記送信側クライアントＩＦから収集し対向装置へ送信すべき装置保守データを予め定められた大分割単位に分割した大分割データを、ヘッダに含めることができる比較的小さい小分割単位に分割し小分割データを作成し、クライアントから受信したクライアントデータをペイロード部へ格納し、前記小分割データ及び順序を表す小分割識別情報をＯＨ部に格納した伝送フレームを作成及び送信し、
一方、
格納方式決定情報がペイロード格納方式ならば、前記大分割データを、ペイロードに含めることができる比較的大きい小分割単位に分割し小分割データを作成し、前記小分割データをペイロード部に格納し、順番を表す小分割識別情報をＯＨ部に格納した伝送フレームを作成及び送信する
伝送システム。
【請求項２】
請求項１に記載の伝送システムであって、
複数の前記送信側クライアントＩＦと装置保守データを送信及び受信する送信側装置監視ＩＦ
をさらに備え、
前記送信側装置監視ＩＦは、
各々の前記送信側クライアントＩＦ及び／又は他の装置より装置保守データを収集して元データを形成し、前記元データを予め定めた大分割単位に分割して、順序を表す大分割データ識別子を付加し、前記大分割データを作成し、
予め定められた順序又は手順により決定された前記送信側クライアントＩＦへ、前記大分割データを送信する
ことを特徴とする伝送システム。
【請求項３】
請求項１又は２に記載の伝送システムであって、
前記送信側クライアントＩＦは、格納方式決定情報が、ＯＨ格納方式からペイロード格納方式へと変化した際、予め定められた数の送信フレームを送出した後又は送信した後予め定められた時間経過後に、格納方式決定情報をＯＨ格納方式へ戻すことを特徴とする伝送システム。
【請求項４】
請求項１乃至３のいずれかに記載の伝送システムであって、
前記送信フレームは、ＯＨ格納方式では、
ペイロードに、クライアントデータが格納され、
ＯＨ部に、比較的小さい小分割単位に分割した前記小分割データ、前記小分割データの結合順番を表す小分割ナンバー及び最後の小分割データか否かを表すフラグを含む小分割識別情報、ＯＨ格納方式を表す格納方式決定情報が格納される
ことを特徴とする伝送システム。
【請求項５】
請求項１乃至４のいずれかに記載の伝送システムであって、
前記送信フレームは、ペイロード格納方式では、
ペイロードに、比較的大きい小分割単位に分割した前記小分割データが格納され、
ＯＨ部に、前記小分割データの結合順番を表す小分割ナンバー及び最後の小分割データか否かを表すフラグを含む小分割識別情報、ペイロード格納方式を表す格納方式決定情報が格納される
ことを特徴とする伝送システム。
【請求項６】
請求項１乃至５のいずれかに記載の伝送システムであって、
受信した多重信号を伝送フレームに分離する分離部と、
前記分離部からの伝送フレームをクライアントへの信号に変換する複数の受信側クライアントＩＦと、
前記複数の受信側クライアントＩＦから装置保守データを収集する受信側装置監視ＩＦを
さらに備え、
前記受信側クライアントＩＦは、
前記分離部より受信した伝送フレームのＯＨ部から格納方式決定情報及び小分割識別情報を抽出し、
格納方式決定情報がＯＨ格納方式ならば、装置保守データの前記小分割データを受信フレームのＯＨ部より抽出し、
一方、格納方式決定情報がペイロード格納方式ならば、装置保守データの前記小分割データを受信フレームのペイロード部より抽出し、
小分割された装置保守データをＯＨ部から抽出した小分割識別情報を用いて結合して大分割データを生成し、
前記受信側装置監視ＩＦは、
前記複数の受信側クライアントＩＦが生成した前記大分割データを、各大分割データに含まれる大分割データ識別子を元に結合して装置保守データを生成する
ことを特徴とする伝送システム。
【請求項７】
請求項６に記載の伝送システムであって、
前記受信側クライアントＩＦは、小分割識別情報が連番でない場合、既に格納された小分割データ及び／又は受信した小分割データを破棄することを特徴とする伝送システム。
【請求項８】
請求項６又は７に記載の伝送システムであって、
前記受信側装置監視ＩＦは、大分割データ識別子が重複した場合、重複した大分割データを破棄することを特徴とする伝送システム。
【請求項９】
請求項６乃至８のいずれかに記載の伝送システムであって、
前記受信側装置監視ＩＦが、生成した装置保守データを保持するための装置保守データ格納部を
さらに備え、
監視端末により、装置保守データを前記装置保守データ格納部から読み出し、表示及び／又は出力することを特徴とする伝送システム。
【請求項１０】
伝送システムにおける伝送方法であって、
前記伝送システムは、
クライアントからの信号を送信フレームに変換する複数の送信側クライアント（インタフェース）ＩＦと、
複数の前記送信側クライアントＩＦからの送信フレームを多重して多重信号を送信する多重部と、
を備え、
前記送信側クライアントＩＦは、クライアントデータの状態が予め定められた時間以上断状態である場合又は前記送信側クライアントＩＦがクライアントデータを受信していない若しくは接続されていない場合、格納方式決定情報をペイロード格納方式と決定し、その他の場合格、納方式決定情報を（オーバヘッド）ＯＨ格納方式と決定し、
前記送信側クライアントＩＦは、
格納方式決定情報がＯＨ格納方式ならば、複数の前記送信側クライアントＩＦから収集し対向装置へ送信すべき装置保守データを予め定められた大分割単位に分割した大分割データを、ヘッダに含めることができる比較的小さい小分割単位に分割し小分割データを作成し、クライアントから受信したクライアントデータをペイロード部へ格納し、前記小分割データ及び順序を表す小分割識別情報をＯＨ部に格納した伝送フレームを作成及び送信し、
一方、
格納方式決定情報がペイロード格納方式ならば、前記大分割データを、ペイロードに含めることができる比較的大きい小分割単位に分割し小分割データを作成し、前記小分割データをペイロード部に格納し、順番を表す小分割識別情報をＯＨ部に格納した伝送フレームを作成及び送信する
伝送方法。
【発明の詳細な説明】
【技術分野】
【０００１】
本発明は、伝送システム及び方法に係り、特に、対向する波長多重伝送装置間での装置状態を監視するための伝送システム及び方法に関する。
【背景技術】
【０００２】
対向する複数のクライアント装置が伝送路を介し遠隔地と通信を効率的に行う手法として、伝送路へ複数のクライアント装置の信号を多重化し伝送帯域を効率良く使用可能な光波長多重伝送方式が知られている。
【０００３】
波長多重伝送装置ではクライアント装置より受信した電気あるいは光のクライアントデータを波長多重通信用光信号へと変換する際、クライアントデータのカプセル化を行っている。
【０００４】
カプセル化を行うと、クライアントデータはペイロード部、装置保守データ（例えば、クライアントインタフェース（ＩＦ）及び／又は電源等の装置の故障、データ誤り等、及びこれらを収集したログ、装置監視情報、装置制御情報、保守情報等）はオーバヘッド（ＯＨ）部へと格納され、カプセル化後のデータはクライアントデータよりも高いビットレートで送出される。
【０００５】
クライアントデータとカプセル化後のビットレートの差が、ＯＨ部の容量に相当し、この容量が多いほど装置保守データを格納するための領域が増える。
【０００６】
カプセル化されたデータは対向する装置のクライントＩＦにてデカプセル化することでＯＨ部の情報を読出し、これにより対向装置の装置保守データを装置間で授受することが可能である。
【０００７】
ＯＨ部の容量を十分に持たせると、装置保守データを高速に対向装置へ送出出来るが、伝送路側ビットレートに占めるＯＨ部の割合が多くなり伝送効率は低くなる。一方、ＯＨ部の容量を少なくすると、装置保守データの送達に時間を要する場合がある。
【０００８】
特開２００３−１４３１９１号公報では、ＯＨ部の空き容量が少ない場合に装置保守データを装置間で授受する際、装置保守データを分割し、複数のクライアントインタフェース（ＩＦ）のＯＨ部内に、分割した装置保守データを格納し、これを対向する光波長多重伝送装置へと送信することで、ＯＨ部の空き領域が少ない条件下においても光波長多重伝送装置間で装置保守データを授受する手法が記載されている。
【先行技術文献】
【特許文献】
【０００９】
【特許文献１】特開２００３−１４３１９１号公報
【発明の概要】
【発明が解決しようとする課題】
【００１０】
しかし、特開２００３−１４３１９１号公報に記載された手法では、各クライアントＩＦの故障、データ誤り等の情報を収集したログのように比較的大容量なデータを装置間で授受送達する際、ＯＨ部の空き領域の上限が決まっていることからデータの分割数及び結合数が増え、分割結合処理が多くなってしまうことが課題として挙げられる。また分割した装置保守データを結合するための情報が装置保守データの分割数に応じて必要になるため信号伝送の効率が低く、大容量なデータを送達するには時間を要してしまう場合が想定される。
【００１１】
さらに、装置保守データは分割され各クライアントＩＦのＯＨ部に格納されるため、光波長多重伝送装置に実装されているクライアントＩＦのチャネル数が少ない場合、あるいはビットレートが低い場合においてデータの送達を行う際に時間を要することも課題である。
【００１２】
以上のように、従来技術では、装置保守データの授受にフレームのＯＨ部のみを使用しているため装置保守データの送信速度がクライアントＩＦの数及び送信ビットレートに依存してしまう。
【００１３】
また、従来技術では、装置保守データの分割や結合を行わねばならず分割結合処理が増えるため効率が良くない場合がある。
【００１４】
また、従来技術では、装置保守データを細かく分割してしまうため、送信データのうち結合する際に使用する情報が占める割合が高くなり帯域使用の効率が良くない場合がある。
【００１５】
本発明は、以上の点に鑑み、従来技術に比べ装置保守データを高速に効率良く送達することを目的とする。
【課題を解決するための手段】
【００１６】
本発明の第１の解決手段によると、
クライアントからの信号を送信フレームに変換する複数の送信側クライアント（インタフェース）ＩＦと、
複数の前記送信側クライアントＩＦからの送信フレームを多重して多重信号を送信する多重部と、
を備え、
前記送信側クライアントＩＦは、クライアントデータの状態が予め定められた時間以上断状態である場合又は前記送信側クライアントＩＦがクライアントデータを受信していない若しくは接続されていない場合、格納方式決定情報をペイロード格納方式と決定し、その他の場合格納方式決定情報を（オーバヘッド）ＯＨ格納方式と決定し、
前記送信側クライアントＩＦは、
格納方式決定情報がＯＨ格納方式ならば、複数の前記送信側クライアントＩＦから収集し対向装置へ送信すべき装置保守データを予め定められた大分割単位に分割した大分割データを、ヘッダに含めることができる比較的小さい小分割単位に分割し小分割データを作成し、クライアントから受信したクライアントデータをペイロード部へ格納し、前記小分割データ及び順序を表す小分割識別情報をＯＨ部に格納した伝送フレームを作成及び送信し、
一方、
格納方式決定情報がペイロード格納方式ならば、前記大分割データを、ペイロードに含めることができる比較的大きい小分割単位に分割し小分割データを作成し、前記小分割データをペイロード部に格納し、順番を表す小分割識別情報をＯＨ部に格納した伝送フレームを作成及び送信する
伝送システムが提供される。
【００１７】
本発明の第２の解決手段によると、
伝送システムにおける伝送方法であって、
前記伝送システムは、
クライアントからの信号を送信フレームに変換する複数の送信側クライアント（インタフェース）ＩＦと、
複数の前記送信側クライアントＩＦからの送信フレームを多重して多重信号を送信する多重部と、
を備え、
前記送信側クライアントＩＦは、クライアントデータの状態が予め定められた時間以上断状態である場合又は前記送信側クライアントＩＦがクライアントデータを受信していない若しくは接続されていない場合、格納方式決定情報をペイロード格納方式と決定し、その他の場合格納方式決定情報を（オーバヘッド）ＯＨ格納方式と決定し、
前記送信側クライアントＩＦは、
格納方式決定情報がＯＨ格納方式ならば、複数の前記送信側クライアントＩＦから収集し対向装置へ送信すべき装置保守データを予め定められた大分割単位に分割した大分割データを、ヘッダに含めることができる比較的小さい小分割単位に分割し小分割データを作成し、クライアントから受信したクライアントデータをペイロード部へ格納し、前記小分割データ及び順序を表す小分割識別情報をＯＨ部に格納した伝送フレームを作成及び送信し、
一方、
格納方式決定情報がペイロード格納方式ならば、前記大分割データを、ペイロードに含めることができる比較的大きい小分割単位に分割し小分割データを作成し、前記小分割データをペイロード部に格納し、順番を表す小分割識別情報をＯＨ部に格納した伝送フレームを作成及び送信する
伝送方法が提供される。
【発明の効果】
【００１８】
本発明によれば、装置保守データ（例えば、クライアントインタフェース（ＩＦ）及び／又は電源等の装置の故障、データ誤り等、及びこれらを収集したログ、装置監視情報、装置制御情報、保守情報等）を高速に効率良く送達することが可能であるため、装置間で保守効率の向上が期待できる。
【図面の簡単な説明】
【００１９】
【図１】光伝送システムのブロック図である。
【図２】光伝送システムの適用形態である。
【図３】ＯＨ格納方式のフレームフォーマットである。
【図４】ペイロード格納方式のフレームフォーマットである。
【図５】格納方式の違いによる装置保守情報の分割手法についてである。
【図６】送信側クライアントＩＦの機能ブロック図である。
【図７】送信保守データ小分割部の機能ブロック図である。
【図８】格納方式決定部のフローチャートである。
【図９】送信保守データ制御部のフローチャートである。
【図１０】送信保守データ格納部のフローチャートである。
【図１１】送信保守データ小分割部のフローチャートである。
【図１２】小分割部のフローチャートである。
【図１３】小分割結合情報付加部のフローチャートである。
【図１４】カプセル化部のフローチャートである。
【図１５】送信側装置監視ＩＦのブロック図である。
【図１６】装置保守データ大分割部のブロック図である。
【図１７】装置保守データ制御部のフローチャートである。
【図１８】装置保守データ大分割部のフローチャートである。
【図１９】大分割部のフローチャートである。
【図２０】大分割結合情報付加部のフローチャートである。
【図２１】受信側クライアントＩＦのブロック図である。
【図２２】受信保守データ小結合部のブロック図である。
【図２３】格納方式判別部のフローチャートである。
【図２４】受信保守データ制御部のフローチャートである。
【図２５】小結合情報判断部のフローチャートである。
【図２６】小結合部のフローチャートである。
【図２７】受信側装置監視ＩＦのブロック図である。
【図２８】装置保守データ大結合部のブロック図である。
【図２９】大結合情報判断部のフローチャートである。
【図３０】大結合部のフローチャートである。
【図３１】クライアントＩＦより受信する装置保守データの形式及び結合方法についての説明図である。
【図３２】通常時の小結合動作についてである。
【図３３】小分割Ｎｏ．が不連続時の保守データ破棄動作についてである。
【図３４】小分割Ｎｏ．が不連続時の保守データ破棄動作（小分割Ｎｏ．が１だった場合）についてである。
【図３５】通常時の大結合動作についてである。
【発明を実施するための形態】
【００２０】
本発明の実施例について図面を参照して説明する。
１．概要
【００２１】
本実施の形態では、クライアントＩＦがクライアントから一定時間（クライアントＩＦの伝送速度に依存）信号を受信しない条件下では、パケットのペイロード部へ装置保守データを格納し対向光波長多重伝送装置へと送達させるシステムを提案する。ペイロード部はＯＨ部に比べ十分に容量が大きいため装置保守データ等を効率良く送達することが可能である。一方、信号を受信している条件下ではＯＨ部に装置保守データを格納し対向光波長多重伝送装置へと送達させる。
【００２２】
２．システム及びフレームフォーマット
図１は、本実施の形態の光伝送システムの構成を示すブロック図である。本光伝送システムは、送信装置９７と受信装置９３と伝送路９９とを備える。送信装置９７はクライアントＩＦ８８〜８６と波長多重部８９と送信側装置監視ＩＦ８５を備える。受信装置９３はクライアントＩＦ８３〜８１と波長分離部８４と受信側装置監視ＩＦ８０とを備える。
【００２３】
図２は、光伝送システムの適用形態である。本光伝送システムは、Ａ局９８内にクライアント９６、９５を複数台接続した送信装置９７と伝送路９９とＢ局９４内にクライアント９２、９１を複数台接続した受信装置９３と監視端末９０とを備える。
【００２４】
送信装置９７は、クライアント９６、９５より受信した光信号あるいは電気信号のクライアントデータをクライアントＩＦ８８〜８６を以って波長多重通信に適した波長の光信号へと変換し、波長多重部８９を以って波長多重し伝送路９９へと波長多重信号として送出する装置である。
【００２５】
送信側装置監視ＩＦ８５及び受信側装置監視ＩＦ８０は、以下（１）、（２）の機能をもって装置保守データを収集している。
（１）クライアントＩＦ及び電源から発せられる故障、クライアント信号断等の警報を装置保守データとして保持する。
（２）クライアントＩＦの挿抜時クライアントＩＦの情報（実装Ｓｌｏｔ位置、クライアントＩＦの伝送速度等）を取得する。
また、受信側装置監視ＩＦ８０は、監視端末９０から装置保守データの読出しが行われた場合、保持している装置保守データを送信する機能を持つ。
【００２６】
また、送信側装置監視ＩＦ８５は取得した各クライアントＩＦの装置保守データを分割し各クライアントＩＦへと送出する機能も有している。
【００２７】
送信側装置監視ＩＦ８５によって分割された装置保守データは各クライアントＩＦよりフレームのＯＨ部あるいはペイロード部に格納され波長多重通信に適した波長多重通信用光信号として送出され、波長多重部８９により伝送路９９に送出される。
【００２８】
受信装置９３は伝送路９９より受信した送信装置９７より送出された波長多重信号を波長分離部８４で波長分離し、クライアントＩＦ８８〜８６と対となるクライアントＩＦ８３〜８１へと送出する。なお、ここでは仮に、一例として、送信装置９７のクライアントＩＦ８８と受信装置９３のクライアントＩＦ８３が通信している（対となる）とする。同様にクライアントＩＦ８７とクライアントＩＦ８２、クライアントＩＦ８６とクライアントＩＦ８１がそれぞれ通信しているとする。
【００２９】
波長多重通信用光信号を波長分離部８４から受け取ったクライアントＩＦ８３〜８１はそれぞれに接続されているクライアント９２〜９１に適した波長の光信号あるいは電気信号のクライアントデータへと変換し送出する。また受信側装置監視ＩＦ８０は受信装置９３の装置状態監視の他、送信装置９７より送出された送信装置９７の装置保守データを収集し保持する。
【００３０】
収集した受信装置９３及び送信装置９７の装置保守データは装置保守データの種類に応じ監視端末９０へ送出、あるいは読みだされる。監視端末９０は、装置保守データを表示及び／又は出力することができる。
【００３１】
本実施の形態では装置保守データの格納方式を、クライアントＩＦに入力されるクライアントデータの有無に応じてフレームのＯＨ部またはペイロード部と柔軟に変更することにより、従来技術よりも高速で効率的なデータの送達を可能とすることを特徴とする。
【００３２】
以下に本実施の形態で提案する装置保守データの格納方式について図３４、及び、図３、図４を用いて説明する。
本実施の形態はＯＴＮ（Ｏｐｔｉｃａｌ  Ｔｒａｎｓｐｏｒｔ  Ｎｅｔｗｏｒｋ）フレームフォーマットに適用可能なため、図３、４に示したＯＴＮフレームフォーマットを用いて各格納方式の説明を行う。なお、本発明及び本実施の形態で使用するフレームフォーマットはこれに限らず、様々なものに適用可能である。また、このフレームフォーマットは、例えば、クライアントＩＦ８８〜８６と波長多重部８９との間、波長多重部８９と波長分離部８４との間、及び、波長分離部８４とクライアントＩＦ８３〜８１との間の信号のフォーマットを示す。
【００３３】
ＯＴＮフレームフォーマットは大きく分けてＦＥＣ（Ｆｏｒｗａｒｄ  Ｅｒｒｏｒ  Ｃｏｒｒｅｃｔｉｏｎ）７９、ペイロード７８、ＯＨ７７で構成されており、本実施の形態ではペイロード７８、ＯＨ７７に注目する。
【００３４】
図３に示すフレームフォーマットは装置保守データをＯＨ部に格納したＯＨ格納方式を示す図である。
【００３５】
ＯＨ格納方式はクライアントＩＦがクライアントデータを受信している際に選択される格納方式であり、ペイロード７８にはクライアントデータ７６が格納されている。
【００３６】
装置保守データ７２はＯＨ格納方式選択時４Ｂｙｔｅに分割され、ＯＨ部の空き領域に格納される。格納領域はＧＣＣ（Ｇｅｎｅｒａｌ  ｃｏｍｍｕｎｉｃａｔｉｏｎ  ｃｈａｎｎｅｌｓ）２  ７５、ＧＣＣ１  ７４の計４Ｂｙｔｅを使用する。
【００３７】
ＧＣＣ０  ７３には分割された装置保守データ７２の小分割Ｎｏ．７１、フラグ７０、格納方式決定情報６９が格納されており、計２Ｂｙｔｅ分の容量を持つ。
【００３８】
ＧＣＣ０  ７３内に格納されている小分割Ｎｏ．７１は分割された装置保守データを結合する情報であり、１４Ｂｉｔ使用し１〜１６３８４までの小分割Ｎｏ．を表している。
【００３９】
フラグ７０は、最後に分割された装置保守データと、それ以外に分割された装置保守データとを識別する１ｂｉｔの情報で、前者には１が、後者には０が格納される。
【００４０】
仮に装置保守データがＮ個に分割された時、フラグ７０は１番目に分割された装置保守データからＮ−１番目に分割された装置保守データの送信時に０が格納される。また、Ｎ番目に分割された装置保守データの送信時には１が格納される。
【００４１】
フラグ７０に０が格納されている装置保守データを受信している間は分割された装置保守データに続きが有ると判断出来、フラグ７０に１が格納されている分割された装置保守データを受信した時点で一つの分割単位の終わりが判断出来る。
【００４２】
小分割Ｎｏ．７１とフラグ７０を組み合わせて判断することで、装置保守データの結合及び破棄を正しく行える。
例として、小分割Ｎｏ．７１が１、フラグ７０が０の分割された装置保守データを保持しているとする。フラグ７０に０が格納されているためまだ続きがあると判断出来、続きの装置保守データを待つことが実行される。
【００４３】
次に受信した装置保守データの小分割Ｎｏ．７１が２、フラグ７０が１ならば、小分割Ｎｏ．が連番かつフラグが分割された装置保守データの終わりを告げているため結合を行うことが実行される。
【００４４】
ここで、仮に、次に受信した装置保守データの小分割Ｎｏ．７１が２ではなく３であり、フラグ７０が１ならば、フラグが分割された装置保守データの終わりを告げていても、小分割Ｎｏ．７１が連番となっていないため、結合は行わず破棄すると判断することが出来る。
【００４５】
格納方式決定情報６９は１ｂｉｔの情報で、０の場合はＯＨ格納方式を、１の場合はペイロード格納方式であることをそれぞれ表している。各機能ブロックは格納方式決定情報６９の値により、格納方式の変更、装置保守データの抽出位置等を決定する。図３ではＯＨ格納方式の場合なので０が格納されている。
【００４６】
図４に示すフレームフォーマットは装置保守データをペイロード部に格納したペイロード格納方式を示す図である。
【００４７】
ペイロード格納方式はクライアントＩＦがクライアントデータを受信していない際に選択される格納方式であるため、ペイロード７８には装置保守データ（３８０８Ｂｙｔｅ）６８が格納されている。
【００４８】
装置保守データはペイロード格納方式選択時３８０８Ｂｙｔｅに４分割され、ペイロード７８に格納される。
【００４９】
ペイロード格納方式選択時ＧＣＣ２  ７５、ＧＣＣ１  ７４には装置保守データは格納されず、ＧＣＣ０  ７３にはＯＨ格納方式と同じく小分割Ｎｏ．７１、フラグ７０、格納方式決定情報６９が格納される。ペイロード格納方式選択時には格納方式決定情報に１が格納されている。
【００５０】
３．送信装置
３−１．機能ブロック
以下に各機能ブロックについて説明する。
【００５１】
図６は送信側クライアントＩＦ５４の機能ブロック図である。送信側クライアントＩＦ５４はクライアントデータを波長多重用光信号へと変換し波長多重部８９へと送信する機能を持つ。
【００５２】
図７は送信保守データ小分割部５２の機能ブロック図である。送信保守データ小分割部５２は送信保守データ格納部４８から受信した大分割データを、送信保守データ制御部４９から受信した大分割データの分割指示に従い小分割し、小分割データ、小分割Ｎｏ．、フラグをカプセル化部５３に送信する機能を持つ。
【００５３】
図１５は送信側装置監視ＩＦ８５の機能ブロック図である。送信側装置監視ＩＦ８５は各クライアントＩＦより装置保守データ（クライアントＩＦの故障、データ誤り等、及び上記を収集したログ）を各送信側クライアントＩＦ監視部５０より収集し大分割して、各クライアントＩＦのクライアントデータの入力状態に応じ、装置保守データの送信に最適なクライアントＩＦへと送出する機能を持つ。
【００５４】
図１６は装置保守データ大分割部４４の機能ブロック図である。装置保守データ大分割部４４は装置保守データ格納部４２から受信した装置保守データを大分割し、大分割データ識別子を付加し分割保守データ格納部４５へ送信する機能を持つ。
【００５５】
３−２．元データ（装置保守データ）の分割手法
図５はＯＨ格納方式とペイロード格納方式での装置保守情報の分割手法の違いに付いて説明した図である。以下に図の説明を示す。
【００５６】
元データ６７とは装置保守データのことであり、装置保守データ格納部４２に格納されている。元データ６７の容量は様々であるが、ここでは装置状態ログのような容量の大きなデータであると仮定する。
【００５７】
図３１に、クライアントＩＦより受信する装置保守データの形式及び結合方法についての説明図を示す。
【００５８】
まず、装置保守データ（元データ）について説明する。
装置保守データ格納部４２には各クライアントＩＦ及び電源より得られた装置保守データ（元データ）を格納する記憶エリアがある。各クライアントＩＦ及び電源より取得する具体的な装置保守データの一例を以下に示す。
クライアントＩＦ
・クライアントＩＦ実装の有無  ０  ｏｒ  １  （０：未実装  １：実装）
・クライアントＩＦ種別
・クライアントＩＦ故障の有無  ０  ｏｒ  １  （０：故障無し  １：故障有り）
電源
・電源故障の有無  ０  ｏｒ  １  （０：故障無し  １：故障有り）
・ファン故障の有無  ０  ｏｒ  １  （０：故障無し  １：故障有り）
【００５９】
装置保守データは、元データとして、クライアントＩＦ１〜Ｎに対応するＳｌｏｔ  １〜Ｓｌｏｔ  Ｎ、及び、電源の保守データが格納される複数の記憶エリアを含む。装置保守データを受信装置９３へと送る際は、Ｓｌｏｔ  １〜Ｓｌｏｔ  Ｎ及び電源の保守データが格納される複数の記憶エリアごと送出する。記憶エリアのサイズは決まっており、例えばＳｌｏｔ１のクライアントＩＦ１が未実装から実装に変わったとするならば、Ｓｌｏｔ１用の箱の中にあるクライアントＩＦ１の実装ｏｒ未実装を決定する領域が０から１に変化する。装置保守データの発出によって記憶エリア内の値が置き変わるだけなので、装置保守データの結合動作は無いものとすることができる。
【００６０】
元データ６７は容量の大きなデータなので分割しＯＴＮフレームに格納して受信装置９３へと送信するため分割処理を行う。分割は二段階に分けて行われ、大分割と小分割に分けられる。
【００６１】
まず、装置保守データ大分割部４４において元データ６７が１５２２８Ｂｙｔｅごとに大分割６６される。ここで、ＯＴＮフレームのペイロード部は３８０８Ｂｙｔｅの容量を持つ。本実施の形態ではＯＨ格納方式からペイロード格納方式へと変化した際、一つ又は予め定められた数のＯＴＮフレームを送出した後又はその後予め定められた時間の経過後、自動的にＯＨ格納方式へと戻るようにしてもよい。このため、大分割データは一つのＯＴＮフレームで送出可能な容量３８０８Ｂｙｔｅの倍数が望ましい。よって、識別子の４Ｂｙｔｅを除いた１５２２８Ｂｙｔｅ（＝３８０８Ｂｙｔｅ×４）を大分割データの分割単位として採用した。以降大分割されたデータは大分割データと呼ぶ。大分割された後結合を行うための識別子が付けられる。
【００６２】
識別子は４Ｂｙｔｅの容量を持ち、最初に分割された大分割データにはデータの最初に４Ｂｙｔｅ分ＡＬＬ０の識別子が付加され、大分割データの開始として機能する。
【００６３】
以降、４Ｂｙｔｅ分の識別子は大分割データの最後に付加され、最後に分割された大分割データを除き、分割された順を示す数字を表す大分割Ｎｏ．として機能する。
【００６４】
最後に分割された大分割データには４Ｂｙｔｅ分ＡＬＬ１の識別子が付加され、大分割データの終了として機能する。
【００６５】
大分割され識別子の付けられた大分割データは、分割保守データ格納部４５に格納され送信保守データ制御部４３の指示により各クライアントＩＦへと送信される。一連の処理は後述する。
【００６６】
大分割データをフレームに格納するには大きすぎるため、分割保守データ格納部４５から大分割データを受け取ったクライアントＩＦは、二回目の分割である小分割６１を行う。
【００６７】
クライアントＩＦでは、分割保守データ格納部４５より受け取った大分割データは、送信保守データ格納部４８に一時保存され、送信保守データ小分割部５２により読みだされ小分割される。以降小分割された大分割データを小分割データと呼ぶ。
【００６８】
小分割データの分割単位はＯＨ格納方式６０とペイロード格納方式５９で異なる。分割単位は上述の図３、４のフレームフォーマットに格納出来るように、ＯＨ格納方式６０では４Ｂｙｔｅ、一方、ペイロード格納方式５９では３８０８Ｂｙｔｅである。
【００６９】
小分割６１では小分割データに小分割Ｎｏ．７１とフラグ７０が付加される。小分割Ｎｏ．７１は上述のように１４ｂｉｔで表される数値である。
【００７０】
フラグ７０は最後に小分割された小分割データとそれ以外を識別する情報である。最後に小分割された小分割データのフラグ７０には１が、それ以外の小分割データには０が格納される。
【００７１】
カプセル化部５３は、送信保守データ小分割部５２より装置保守データの小分割データ、小分割Ｎｏ．、フラグを受信し、送信保守データ制御部４９より格納方式決定情報を受信する。
【００７２】
カプセル化部５３は送信保守データ制御部４９より受信した格納方式決定情報により装置保守データをＯＨ部またはペイロード部へと格納し送信する。以上で分割手法の説明を終わる。
【００７３】
３−３．送信側クライアントＩＦの動作
以下に、各機能ブロック図の動きを表したフローチャートについて説明する。
格納方式決定部５１は、例えば、現在のクライアントデータの状態（入ｏｒ断）と一つ手前のクライアントデータの状態（入ｏｒ断）とを比較することで格納方式決定情報を決定し、格納方式決定情報を送信側クライアントＩＦ監視部５０と送信保守データ制御部４９へと送信する動作を行う。例えば、格納方式決定部５１は、クライアントからクライアントＩＦ８６〜８８への信号が一定時間ない、またはクライアントが接続されておらずクライアントＩＦ８６〜８８が使用されていない場合等に、格納方式決定情報を１と決定することができる。
【００７４】
図８は格納方式決定部５１の動きを表すフローチャートである。
格納方式決定部５１は初期値に格納方式決定情報を０として動作開始する。また、送信側クライアントＩＦ監視部５０と送信保守データ制御部４９に対し初期化処理として格納方式決定情報を送信する。値は初期値の０である（ステップ１００）。
【００７５】
格納方式決定部５１は、ステップ１０１でクライアントデータの状態を判断する。クライアントデータが入ならばステップ１０２へ、断ならばステップ１０３へと進む。
【００７６】
格納方式決定部５１は、ステップ１０２ではクライアントデータの断が起こるまでループし、クライアントデータ断を検知した場合ステップ１０３へと進む。
【００７７】
格納方式決定部５１は、ステップ１０３ではクライアントデータがクライアントデータ断状態に状態遷移するまで予め定められた時間（Ｘ時間）経過したかを判断し、Ｙｅｓならばステップ１０４へＮｏならばステップ１００へと進む。
【００７８】
ステップ１０３からステップ１００へと進んだ場合、クライアントデータの入力が途切れた状態を検知したが、クライアントデータ断状態と判断される前に再度クライアントデータが入力した際の動作を示しており、格納方式決定部５１はステップ１００にて初期化処理をした後クライアントデータの状態を監視し続ける。
【００７９】
格納方式決定部５１は、ステップ１０３の分岐点で、クライアントデータ断状態へと状態が遷移するまで時間経過した場合ステップ１０４へと進む。
【００８０】
格納方式決定部５１は、ステップ１０４ではクライアントデータ入の状態からクライアントデータ断状態へ状態遷移した際の動作を示しており、格納方式決定情報に１が格納された後、送信側クライアントＩＦ監視部５０と送信保守データ制御部４９に送信される。その後ステップ１００へと進み格納方式決定部５１は初期化処理をした後クライアントデータの状態を監視し続ける。
【００８１】
送信保守データ制御部４９は格納方式決定部５１から受信した格納方式決定情報から送信保守データ小分割部５２へ小分割単位の指示（４Ｂｙｔｅｏｒ３８０８Ｂｙｔｅ）とカプセル化部５３へ格納方式決定情報を送信する動作を行う。
【００８２】
図９は送信保守データ制御部４９の動きを表すフローチャートである。送信保守データ制御部４９は動作開始後、格納方式決定部５１から格納方式決定情報を受信する（ステップ１０８）。
【００８３】
送信保守データ制御部４９は、受信した格納方式決定情報の値をステップ１０９で判断し、格納方式決定情報が０ならばステップ１１０へ、格納方式決定情報が１ならばステップ１１１へと進む。
【００８４】
送信保守データ制御部４９は、格納方式決定情報が０ならばステップ１１０で格納方式決定情報をカプセル化部５３へと送信した後、ステップ１１２で装置保守データを４Ｂｙｔｅに分割し分割した装置保守データをカプセル化部へと送信する指示を送信保守データ小分割部５２へと送信する。すなわちＯＨ格納方式での指示が送信される。
【００８５】
送信保守データ制御部４９は、格納方式決定情報が１ならばステップ１１１で格納方式決定情報をカプセル化部５３へと送信した後、ステップ１１３で装置保守データを３８０８Ｂｙｔｅに４分割し分割した装置保守データをカプセル化部へと送信する指示を送信保守データ小分割部５２へと送信する。すなわちペイロード格納方式での指示が送信される。
【００８６】
送信保守データ格納部４８は分割保守データ格納部４５から受信した大分割データを格納する動作を行う。後から受信した大分割データは送信保守データ格納部４８に上書きされる。
【００８７】
図１０は送信保守データ格納部４８の動きを表すフローチャートである。
送信保守データ格納部４８は、分割保守データ格納部４５から大分割データの受信を監視しており（ステップ１１４）、大分割データを受信した場合は大分割データを送信保守データ格納部４８に上書きする処理（ステップ１１５）を行う。
【００８８】
送信保守データ小分割部５２は送信保守データ格納部４８から大分割データを、送信保守データ制御部４９から小分割単位の指示（４Ｂｙｔｅ  ｏｒ  ３８０８Ｂｙｔｅ）を受信し、小分割した装置保守データをカプセル化部５３へと送信する動作を行う。
【００８９】
図１１は送信保守データ小分割部５２の動きを表すフローチャートである。
送信保守データ小分割部５２は、送信保守データ格納部４８より
装置保守データの大分割データを受信し（ステップ１１６）、受信した小分割データの小分割（ステップ１１７）を行う、そして小分割した装置保守データに小分割Ｎｏ．とフラグを付加し（ステップ１１８）カプセル化部５３へ送信する（ステップ１１９）。
【００９０】
小分割部４７は送信保守データ制御部４９より受信した格納方式指示（ＯＨ格納方式指示ｏｒペイロード格納方式指示）に従い装置保守データ格納部４８から受信した大分割データの小分割を行う。
【００９１】
図１２は小分割部４７の動作を表すフローチャートである。
小分割部４７は、送信保守データ制御部４９より受信した格納方式指示（ＯＨ格納方式指示ｏｒペイロード格納方式指示）をステップ１２０で判断し、格納方式指示がＯＨ格納方式指示ならばステップ１２１へ、格納方式指示がペイロード格納方式指示ならばステップ１２２へと進む。
【００９２】
小分割部４７は、格納方式指示がＯＨ格納方式指示ならばステップ１２１で装置保守データを４Ｂｙｔｅに分割し、分割した装置保守データを小分割結合情報付加部４６へと送信する。
【００９３】
小分割部４７は、格納方式指示がペイロード格納方式指示ならばステップ１２２で装置保守データを３８０８Ｂｙｔｅに４分割し、分割した装置保守データを小分割結合情報付加部４６へと送信する。
【００９４】
小分割結合情報付加部４６は小分割部４７より受信した分割された装置保守データに小分割Ｎｏ．、フラグを付加する動作を行う。
【００９５】
図１３は小分割結合情報付加部４６の動作を表すフローチャートである。
小分割結合情報付加部４６は、小分割部４７より小分割データを受信し（ステップ１２３）、受信した小分割データに小分割Ｎｏ．を順次付与・作成し（ステップ１２４）、そして最後に分割した小分割データにはフラグに１をそれ以外の小分割データには０を格納（ステップ１２５）する動作を行う。
【００９６】
カプセル化部５３は送信保守データ制御部４９より受信した格納方式決定情報に従い、クライアントから受信したクライアントデータ、送信保守データ小分割部５２より受信した装置保守データの小分割データを、カプセル化する動作を行う。
【００９７】
図１４はカプセル化部５３の動作を表すフローチャートである。
カプセル化部５３は送信保守データ小分割部５２より装置保守データの小分割データを受信し（ステップ１２７）、送信保守データ制御部４９より受信した格納方式決定情報をステップ１２８で判断し、格納方式決定情報が０ならばステップ１２９へ、格納方式決定情報が１ならばステップ１３０へと進む。
【００９８】
格納方式決定情報が０ならばステップ１２９でクライアントデータをペイロード部へ格納し、装置保守データをＯＨ部に格納し送信する。
【００９９】
格納方式決定情報が１ならばステップ１３０で装置保守データをペイロード部に格納し送信する。送信側クライアントＩＦ監視部５０は、伝送速度と格納方式決定情報を送信側装置監視ＩＦ８５に出力する。
【０１００】
３−４．送信側装置監視ＩＦの動作
装置保守データ制御部４３は各クライアントＩＦより受信した、伝送速度、格納方式決定情報から、各クライアントＩＦへ大分割データを送信する送信間隔を決定し、分割保守データ格納部４５より大分割データを各クライアントＩＦへ送信する制御を行う。また、各クライアントＩＦより受信した伝送速度、格納方式決定情報を装置保守データ格納部４２へと格納する処理も行う。
【０１０１】
装置保守データ制御部４３は、格納方式決定情報が０から１に変化したクライアントＩＦが現れると、格納方式決定情報が０から１に変化したクライアントＩＦへ先に決定した大分割データ送信間隔に準ずることなく大分割データを送出する。
格納方式決定情報が０から１に変化した際の送信間隔はＯＴＮフレーム１フレーム分の間隔であり、各クライアントＩＦの伝送速度によって変化する。
【０１０２】
図１７は装置保守データ制御部４３の動きを表すフローチャートである。
装置保守データ制御部４３は動作開始後、各クライアントＩＦより格納方式決定情報及び伝送速度を受信する。また、装置保守データ制御部４３は、装置保守データ格納部４２へ受信した格納方式決定情報及び伝送速度を格納する（ステップ１３１）。
【０１０３】
装置保守データ制御部４３は、各クライアントＩＦより受信した伝送速度情報より大分割データの送出間隔をステップ１３２で決定する。大分割データを各クライアントＩＦへと送出する順番はクライアントＩＦの実装スロットの若番から順に、大分割データの若番から送出される。
【０１０４】
装置保守データ制御部４３内には、送出した大分割データの識別子とクライアントＩＦ情報が記録される領域である、大分割データ送出履歴格納部を有する。装置保守データ制御部４３が大分割データをクライアントＩＦに送出する指示を出すと、大分割データがクライアントＩＦへと送出される度に大分割データ送出履歴格納部が上書きされる。
【０１０５】
装置保守データ制御部４３は、ステップ１３３では既に送られた大分割データがあるかを判断し、あるならばステップ１３４にて既に送られた大分割データの大分割データ識別子＋１から順に大分割データの送出を決定する。大分割データ送出履歴格納部に記録が無い場合大分割データを送るのが初めてと判断できるため、ステップ１３３からステップ１３５へと進み大分割データの若番から順に送出を決定する。
【０１０６】
装置保守データ制御部４３は、ステップ１３６ではステップ１３４またはステップ１３５で決定したクライアントＩＦへと送出する大分割データをステップ１３２で決定したクライアントＩＦの若番から順に送出する指示を分割保守データ格納部４２へと送信する。
【０１０７】
装置保守データ制御部４３は、ステップ１３７ではステップ１３６で各クライアントＩＦへどの識別子を持つ大分割データが送出されたかを大分割データ送出履歴格納部へと記録する。
【０１０８】
装置保守データ制御部４３は、ステップ１３８ではステップ１３２で決定した送出間隔内にクライアントＩＦから格納方式決定情報を受信したか判断し、格納方式決定情報を受信したならばステップ１３９へ、格納方式決定情報を受信しなければステップ１３７へと進む。
【０１０９】
装置保守データ制御部４３は、ステップ１３９では送出間隔内にクライアントＩＦから受信した格納方式決定情報の値を判断している。装置保守データ制御部４３は、ステップ１３２で決定した送出間隔内で格納方式判断情報が１ならばステップ１３７の記録より識別子の老番＋１の大分割データを格納方式決定情報１のクライアントＩＦへ送出する指示を分割保守データ４５へと送出する（ステップ１４０）。一方、格納方式判断情報が０ならばステップ１３８に戻る。
【０１１０】
送信保守データ大分割部４４は装置保守データ格納部４２から装置保守データを受信し、大分割した装置保守データを分割保守データ格納部４５へと送信する動作を行う。
【０１１１】
図１８は装置保守データ大分割部４４の動きを表すフローチャートである。
装置保守データ大分割部４４は、装置保守データ格納部４２より装置保守データを受信し（ステップ１４１）、受信した装置保守データの大分割（ステップ１４２）を行う、そして大分割した装置保守データに大分割データ識別子を付加し（ステップ１４３）分割保守データ格納部４５へ大分割データを送信する（ステップ１４４）。なお、装置保守データ大分割部４４は、ＯＨ格納方式からペイロード格納方式へと変化した際、一つ又は予め定められた数のＯＴＮフレームを送出した後又はその後予め定められた時間の経過後、自動的にＯＨ格納方式へと戻るようにしてもよい。
【０１１２】
大分割部４１は装置保守データ格納部４２から装置保守データを受信し、大分割した装置保守データを大分割結合情報付加部４０へと送信する動作を行う。
【０１１３】
図１９は大分割部４１の動きを表すフローチャートである。
大分割部４１は装置保守データを１５２２８Ｂｙｔｅごとに分割し（ステップ１４５）大分割した装置保守データを大分割結合情報付加部４０へと送信する（ステップ１４６）。
【０１１４】
大分割結合情報付加部４０は大分割部４１より受信した大分割された装置保守データに大分割データ識別子を付加する動作を行う。
【０１１５】
図２０は大分割結合情報付加部４０の動作を表すフローチャートである。
大分割結合情報付加部４０は、大分割部４１より大分割データを受信し（ステップ１４７）、最初に分割された大分割データにはデータの最初に４Ｂｙｔｅ分ＡＬＬ０の識別子が付加され（ステップ１４８）、大分割データの開始とする。以降、４Ｂｙｔｅ分の識別子は大分割データの最後に付加され、最後に分割された大分割データを除き、分割された順を示す数字を表す大分割Ｎｏ．（大分割データ識別子）として機能する（ステップ１４９）。最後に分割された大分割データには４Ｂｙｔｅ分ＡＬＬ１の識別子が付加され、大分割データの終了（ステップ１５０）とする、大分割データ識別子を付加する動作を行う。
【０１１６】
４．受信装置
４−１．受信側クライアントＩＦ
図２１は受信側クライアントＩＦ３８の機能ブロック図である。受信側クライアントＩＦ３８は波長分離部８４から受信した波長多重用光信号をクライアントデータへと変換しクライアントへ送信する機能を持つ。
【０１１７】
図２２は受信保守データ小結合部３６の機能ブロック図である。受信保守データ小結合部３６はデカプセル部３７から受信した装置保守データの小分割データを、同じくデカプセル部３７から受信した小分割Ｎｏ．とフラグを用いて結合し装置保守データ大結合部３０へ送信する機能を持つ。
【０１１８】
格納方式判別部３５は波長多重分離部より受信したフレームのＯＨ部より格納方式決定情報を抽出し、受信側クライアントＩＦ監視部３４及び受信保守データ制御部３３へと送信する動作を行う。
【０１１９】
図２３は格納方式判別部３５の動きを表すフローチャートである。
格納方式判別部３５は動作開始後波長多重分離部より受信したフレームのＯＨ部より格納方式決定情報を抽出し（ステップ１５４）、受信側クライアントＩＦ監視部３４及び受信保守データ制御部３３へと送信する動作を行う（ステップ１５５）。
【０１２０】
受信保守データ制御部３３は格納方式判別部３５より受信した格納方式決定情報の値から、装置保守データをフレームのＯＨ部あるいはペイロード部から抽出するか判断し、デカプセル化部３７へ装置保守データを抽出する位置を指示する動作を行う。
【０１２１】
図２４は受信保守データ制御部３３の動きを表すフローチャートである。
受信保守データ制御部３３は動作開始後、格納方式判別部３５から格納方式決定情報を受信し（ステップ１５６）、受信した格納方式決定情報の値をステップ１５７で判断し、格納方式決定情報が０ならばステップ１５８へ、格納方式決定情報が１ならばステップ１５９へと進む。
【０１２２】
受信保守データ制御部３３は、格納方式決定情報が０ならばステップ１５８で装置保守データをフレームのＯＨ部より抽出し、受信保守データ小結合部３６へと送信する指示をデカプセル化部３７へと送信する。
【０１２３】
受信保守データ制御部３３は、格納方式決定情報が１ならばステップ１５９で装置保守データをフレームのペイロード部より抽出し、受信保守データ小結合部３６へと送信する指示をデカプセル化部３７へと送信する。
【０１２４】
小結合情報判断部３２はデカプセル化部３７より受信した小分割された装置保守データを、同じく受信した小分割Ｎｏ．とフラグを用いて小結合部へと送信するか、破棄するかの判断を行う。
【０１２５】
図２５は小結合情報判断部３２の動きを表すフローチャートである。
小結合情報判断部３２は動作開始後、小分割Ｎｏ．比較値に−１を格納する（ステップ１６０）。初期値として−１を格納する理由は、小分割Ｎｏ．は０から始まるため、初期値に０を格納した場合最初の値と小分割Ｎｏ．比較値を比較することが出来ないからである。
【０１２６】
ステップ１６１では受信したフラグの値を判断する。フラグの値が０ならばステップ１６２へ、フラグの値が１ならばステップ１６３へと進む。
【０１２７】
フラグの値の違いによらずステップ１６２とステップ１６３では同じ処理を行う。受信した小分割Ｎｏ．と小分割Ｎｏ．比較値とを比較し、連番ならばステップ１６２からはステップ１６４へステップ１６３からはステップ１６５へと進み、連番でないならばステップ１６２とステップ１６３は共にステップ１６７へと進む。
【０１２８】
ステップ１６４では小分割Ｎｏ．比較値の値をインクリメントし、正常性が確認できた小分割された装置保守データを小結合部３１へと送信するステップ１６６。
【０１２９】
ステップ１６１でフラグの値より、装置保守データに続きが有ることを判断し、ステップ１６２で装置保守データが連番で続いていることを確認した後、ステップ１６６で小分割された装置保守データは小結合部３１へと送信される。
【０１３０】
ステップ１６１でフラグの値より、装置保守データに続きが無いことを判断し、ステップ１６３で装置保守データが連番で続いていることを確認した後、正常性が確認できた小分割された装置保守データを小結合部３１へと送信する（ステップ１６５）。
【０１３１】
ステップ１６２、ステップ１６３共に連番でないならばステップ１６７へと進み、受信した小分割データの小分割Ｎｏ．の値をステップ１６７では判断される。小分割データの小分割Ｎｏ．が０の場合ステップ１６９へと進み、小分割データの小分割Ｎｏ．が０以外の場合ステップ１６８へと進む。
【０１３２】
小分割データの小分割Ｎｏ．が０以外の場合、小分割部の結合データ及び受信した小分割データを破棄する（ステップ１６８）。小分割データの小分割Ｎｏ．が０の場合、小分割部の結合データを破棄し、小分割Ｎｏ．比較値に０を格納し、小分割部へ小分割データを送信する（ステップ１６９）。
【０１３３】
図３２に、通常時の小結合動作についての説明図を示す。
図示のように、通常時、小結合情報判断部３２は小結合データを順次、小結合部３１へ送る。
図３３に、小分割Ｎｏ．が不連続時の保守データ破棄動作についての説明図を示す。
【０１３４】
この例では、２番目の小分割データの小分割Ｎｏ．が３となり不連続となっている。この場合、小結合情報判断部３２は、ステップ１６３でＮｏとなり、ステップ１６７及びステップ１６８により、小結合部３１にある、小分割データを破棄する。
【０１３５】
図３４に、小分割Ｎｏ．が不連続時の保守データ破棄動作（小分割Ｎｏ．が１だった場合）についての説明図を示す。この例では、２番目の小分割データの小分割Ｎｏ．が１となり不連続となっている。この場合、小結合情報判断部３２は、ステップ１６３でＮｏとなり、ステップ１６７及びステップ１６９により、小結合部３１にある、小分割データを破棄し、受信した小分割データを小結合部３１に送る。
【０１３６】
小結合部３１は小結合情報判断部３２より受信した小分割された装置保守データを結合して大分割データを生成し装置保守データ結合部３０へと送信する。
【０１３７】
図２６は小結合部３１の動きを表すフローチャートである。
小結合部３１は、図３０にも示されるように、小結合情報判断部３２より小分割された装置保守データを受信し（ステップ１７０）、小分割された装置保守データを結合して大分割データを生成し装置保守データ結合部３０へと送信する（ステップ１７１）。
【０１３８】
４−２．受信側装置監視ＩＦ
図２７は受信側装置監視ＩＦ８０の機能ブロック図である。受信側装置監視ＩＦ８０は各クライアントＩＦより装置保守データ（クライアントＩＦの故障、データ誤り等、及び上記を収集したログ）（大分割データ）を各受信側クライアントＩＦ監視部３４より受信し、大結合して装置保守データ（元データ）として装置保守データ格納部４２に保持し、監視端末９０へと送信または監視端末９０の読出しに応じて送信する機能を持つ。また、各クライアントＩＦより受信した伝送速度、格納方式決定情報を装置保守データ格納部４２へと格納する処理も行う。
【０１３９】
図２８は装置保守データ大結合部３０の機能ブロック図である。装置保守データ大結合部３０は受信保守データ小結合部３６から受信した装置保守データの大分割データを同じく受信した識別子を元に破棄及び結合して、装置保守データ格納部４２へと送信する機能を持つ。
【０１４０】
大分割結合情報判断部２７は受信保守データ小結合部３６より受信した大分割データを、同じく受信した識別子を元に大分割データの重複を破棄する機能と識別子の“開始”から“終了”まで抜けなく大分割データが揃った時点で、大結合部２６へと送信する動作を行う。
【０１４１】
図２９は大分割情報判断部２７の動きを表すフローチャートである。
図３５に、通常時の大結合動作についての説明図を示す。大分割情報判断部２７は、受信保守データ小結合部３６より大分割データを受信した（ステップ１７２）後、同じく受信した識別子を元に大分割データの重複を破棄する（ステップ１７３）。また、大分割情報判断部２７は、識別子の“開始（ＡＬＬ０）”から“終了（ＡＬＬ１）”まで抜けなく大分割データ１〜Ｎが揃った時点で、大結合部２６へと送信する（ステップ１７４）動作を行う。
【０１４２】
大結合部２６は大分割情報判断部２７より受信した大分割データを結合し装置保守データ格納部４２へと送信する機能を持つ。
【０１４３】
図３０は大結合部２６の動きを表すフローチャートである。
大結合部２６は、図３５にも示されるように、大分割情報判断部２７より受信した大分割データを識別子の順に結合し識別子を除去した（ステップ１７５）後、装置保守データ格納部４２へと送信する（ステップ１７６）。
【０１４４】
５．実施の形態の効果
以上のように、本実施の形態では、特に、クライアントＩＦがクライアントデータを受信していない状態において、ペイロード部に装置保守データを格納する手法を提案した。
【０１４５】
本実施の形態によれば、装置保守データを送出する際にペイロード部を活用することで、以下の利点がある。
【０１４６】
（１）装置保守データの送達速度がクライアントＩＦの数に依存しない。
（２）データの分割回数を抑えることが出来、装置への負荷の低減が期待できる。
（３）装置保守データの分割結合に不可欠な識別子の低減が期待でき、帯域を効率良く使用することが出来る。
【０１４７】
６．付記
以上では、特に、光伝送システム及び方法について説明したが、本発明は、光伝送に限らず、光以外の電気等を用いた伝送システム及び方法にも適用可能である。また、開始・終了、順番を表すため、小分割Ｎｏ．大分割Ｎｏ．及びフラグを用いたが、小分割Ｎｏ．又は大分割Ｎｏ．のみによりそれらを表す等、適宜の小分割識別情報・大分割データ識別情報を用いることができる。さらに、フレームフォーマットもＯＴＮフレームフォーマットに限らず、様々なフレームフォーマットを用いるようにしてもよい。
【０１４８】
なお、本発明は上記した実施例に限定されるものではなく、様々な変形例が含まれている。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【０１４９】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【０１５０】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１５１】
２６    大結合部  
２７    大結合情報判断部  
２９    装置保守データ制御部  
３０    装置保守データ大結合部  
３１    小結合部  
３２    小結合情報判別部  
３３    受信保守データ制御部  
３４    受信側クライアントＩＦ監視部  
３５    格納方式判別部  
３６    受信保守データ小結合部  
３７    デカプセル化部  
３８    受信側クライアントＩＦ  
３９    分割保守データ格納部の格納タイムチャート  
４０    大分割結合情報付加部  
４１    大分割部  
４２    装置保守データ格納部  
４３    装置保守データ制御部  
４４    装置保守データ大分割部  
４５    分割保守データ格納部  
４６    小分割結合情報付加部  
４７    小分割部  
４８    送信保守データ格納部  
４９    送信保守データ制御部  
５０    送信側クライアントＩＦ監視部  
５１    格納方式決定部  
５２    送信保守データ小分割部  
５３    カプセル化部  
５４    送信側クライアントＩＦ  
５５    小分割Ｎｏ．（１〜１８）  
５６    小分割Ｎｏ．（１〜１６３８４）  
５７    ペイロード格納方式小分割データ  
５８    ＯＨ格納方式小分割データ  
５９    ペイロード格納方式  
６０    ＯＨ格納方式  
６１    小分割  
６２    大分割データ“終了”  
６３    大分割データ“Ｎ”  
６４    大分割データ“１”  
６５    大分割データ“開始”  
６６    大分割  
６７    元データ    
６８    装置保守データ（３８０８×４Ｂｙｔｅ）  
６９    格納方式決定情報（１ｂｉｔ）  
７０    フラグ（１ｂｉｔ）  
７１    小分割Ｎｏ．（１〜１４ｂｉｔ）  
７２    装置保守データ（４Ｂｙｔｅ）  
７３    ＧＣＣ０  
７４    ＧＣＣ１  
７５    ＧＣＣ２  
７６    クライアントデータ  
７７    ＯＨ  
７８    ペイロード  
７９    ＦＥＣ  
８０    受信側装置監視ＩＦ  
８１、８２、８３、８６、８７、８８    クライアントＩＦ  
８４    波長分離部  
８５    送信側装置監視ＩＦ  
８９    波長多重部  
９０    監視端末  
９３    受信装置  
９４    Ｂ局  
９２、９１、９５、９６    クライアント  
９７    送信装置  
９８    Ａ局  
９９    伝送路
【図１】
2014057280.tif 000003
【図２】
2014057280.tif 000004
【図３】
2014057280.tif 000005
【図４】
2014057280.tif 000006
【図５】
2014057280.tif 000007
【図６】
2014057280.tif 000008
【図７】
2014057280.tif 000009
【図８】
2014057280.tif 000010
【図９】
2014057280.tif 000011
【図１０】
2014057280.tif 000012
【図１１】
2014057280.tif 000013
【図１２】
2014057280.tif 000014
【図１３】
2014057280.tif 000015
【図１４】
2014057280.tif 000016
【図１５】
2014057280.tif 000017
【図１６】
2014057280.tif 000018
【図１７】
2014057280.tif 000019
【図１８】
2014057280.tif 000020
【図１９】
2014057280.tif 000021
【図２０】
2014057280.tif 000022
【図２１】
2014057280.tif 000023
【図２２】
2014057280.tif 000024
【図２３】
2014057280.tif 000025
【図２４】
2014057280.tif 000026
【図２５】
2014057280.tif 000027
【図２６】
2014057280.tif 000028
【図２７】
2014057280.tif 000029
【図２８】
2014057280.tif 000030
【図２９】
2014057280.tif 000031
【図３０】
2014057280.tif 000032
【図３１】
2014057280.tif 000033
【図３２】
2014057280.tif 000034
【図３３】
2014057280.tif 000035
【図３４】
2014057280.tif 000036
【図３５】
2014057280.tif 000037